(57)【要約】【課題】 従来公知のリアクトル起動器より一層滑らかな多段起動を可能にする。【解決手段】  モータの電源端子に接続される一次巻線と、一次巻線の電源側に直列に接続される電源スイッチと、  一次巻線と共通の鉄芯に巻かれた二次巻線と、  中間タップ付き三次巻線と、タップ選択装置とから成る可変リアクトル回路と、  から成る可変リアクトル回路付始動器、又は、  モータの電源端子に接続される中間タップを備えた一次巻線と、一次巻線の電源側及び接地側に設けられた電源スイッチ及び接地スイッチと、  一次巻線と共通の鉄心に巻かれた二次巻線と、  中間タップ付き三次巻線と、タップ選択装置とから成る可変リアクトル回路と、  から成る可変リアクトル回路付始動器。【選択図】図6
2006271060.tif 000002
【特許請求の範囲】
【請求項１】
モータ(50)の電源端子に接続される一次巻線(52)と、一次巻線(52)の電源側に直列に接続される電源スイッチ(51)と、
一次巻線(52)と共通の鉄芯に巻かれた二次巻線(54)と、
その一方の端部(55a)が二次巻線(54)の一方の端部(54a)に接続される中間タップ付き三次巻線(55)と、二次巻線(54)の他の一方の端部(54b)と、三次巻線(55)のタップ(55-1〜55-4)との間に設けられるタップ選択装置(56)とから成る可変リアクトル回路(53)と、
から成る可変リアクトル回路付始動器。
【請求項２】
タップ選択装置(56)が、それぞれ三次巻線(55)のタップ(55-1〜55-4)に対応して設けられる電磁接触器(59-1〜59-4)と、これらの電磁接触器(59-1〜59-4)を予め定められたプログラムに従って制御する制御回路(58)とから成る請求項1に記載の可変リアクトル回路付始動器。
【請求項３】
タップ選択装置(56)が、ロータリースイッチである請求項1に記載の可変リアクトル回路付始動器。
【請求項４】
モータ(60)の電源端子に接続される中間タップ(62a)を備え、単巻トランスとして機能する一次巻線(62)と、
一次巻線(62)の電源側及び接地側にそれぞれ直列に接続される電源スイッチ(61)及び接地スイッチ(63)と、
一次巻線(62)と共通の鉄芯に巻かれた二次巻線(65)と、
上記共通の鉄芯に巻かれ、その一方の端部(66a)が二次巻線(65)の一方の端部(65a)に接続される中間タップ付き三次巻線(66)と、二次巻線(65)の他の一方の端部(65b)と、三次巻線(66)のタップとの間に設けられるタップ選択装置(67)とから成る可変リアクトル回路(64)と、
から成る可変リアクトル回路付始動器。
【請求項５】
タップ選択装置(67)が、それぞれ三次巻線(66)のタップ(66-1〜66-4)に対応して設けられる電磁接触器(69-1〜69-4)と、これらの電磁接触器(69-1〜69-4)を予め定められたプログラムに従って制御する制御回路(68)とから成る請求項4に記載の可変リアクトル回路付始動器。
【請求項６】
タップ選択装置(56)が、ロータリースイッチである請求項4に記載の可変リアクトル回路付始動器。
【発明の詳細な説明】
【技術分野】
【０００１】
本発明は、インダクションモータの始動器、特に起動時の起動電流を抑制するためリアクトルを利用する始動器、特に可変リアクトル回路を備えた始動器に関する。
【背景技術】
【０００２】
一定以上の容量のインダクションモータを起動するときは、その定格運転電圧よりも低い電圧で起動し、起動時の起動電流を抑制し、始動時の電流が一定の限界値以下に低下したとき、定格運転電圧に切り換えるようにしている。
【０００３】
最も単純な装置は、図１に示されているリアクトル始動器である。
尚、本明細書添付の図面では、図を簡略にするため、全て多相モータの配線の1相分のみを示してある。
図中、10はインダクションモータ、11は電源スイッチ、12はリアクトル、13はリアクトル12を短絡するスイッチである。
而して、モータ10を起動する時は、スイッチ13をoffとした状態で、電源スイッチ11を投入する。
【０００４】
このとき、モータ10にかかる起動電圧は、リアクトル12の電圧降下により、電源電圧より低くなる。一般的には、この起動電圧は、電源電圧の70％程度に選ばれる。
モータ10の回転が始まり回転数が上昇するにつれ、始動電流が低下するので、一定のレベルまで電流が減少したとき、スイッチ13を投入し、リアクトル12を短絡して定格の運転電圧で運転を開始する。
【０００５】
更に別異の公知の始動器は、図2に示されているようなコンドルファ始動器である。コンドルファ始動器とは、用いられる一次巻線が、単巻トランスとして用いられるものを言うものである。
図中、20はインダクションモータ、21は電源スイッチ、22は中間タップ22aを有するリアクトル、23はリアクトル22の一端を接地するスイッチ、24はリアクトル22の中間タップ22aより電源側の部分を短絡するスイッチである。
この装置は、リアクトル22を単巻トランスとして用いるものであり、モータ20を起動する時は、スイッチ23をon、スイッチ24をoffとした状態で、電源スイッチ21を投入する。
【０００６】
このとき、モータ20にかかる起動電圧は、電源電圧をリアクトル22のタップ22aで分圧したものとなる。一般的には、この起動電圧は、電源電圧の70％程度に選ばれる。
モータ20の回転が始まり回転数が上昇するにつれ、始動電流が低下するので、一定のレベルまで電流が減少したとき、スイッチ23を切り、スイッチ24を投入し、定格の運転電圧で運転を開始する。
【０００７】
上記の図1及び図2に示された装置の起動電流及びトルクの変動曲線は、図7及び図8で示されるようになる。
図7及び図8においては、モータを定格の70％電圧で起動する例が示されている。
図中の点Aで、電源スイッチがonとされ、モータが回転を始める。
始動後、回転数の上昇に伴い、始動トルクは図7中の曲線ABCDに沿って変化し、始動電流は図8中の曲線ABCDに沿って減少する。
【０００８】
始動電流が一定のレベルまで低下した点Dにおいて、リアクトル短絡スイッチを投入する。
然るときは、電源電圧の100％がモータの端子に供給されることとなり、始動トルクは一旦は点Eで示される値にまで上昇し、以降回転数の上昇に伴い、点Fで示される運転トルクまで降下する。
始動電流は点Dから一旦点Eで示される値まで上昇し、以降回転数が上昇するにつれ、点Fで示される運転電流まで低下する。
このため、始動電流の最大値は、最初から100％電圧で始動する場合の70％に抑制されるものである。
【０００９】
然しながら、このような単純な起動器では、短絡スイッチによりリアクトルの直接的短絡が行われるので、大容量のモータの起動には適していない。
このため、大容量モータの始動器としては、図3及び図４に示すような所謂改良型の始動器が用いられている。
【００１０】
図3において、30はインダクションモータ、31は電源スイッチ、32はモータ30の電源端子に接続される一次巻線、33は、二次巻線34とスイッチ35とからなる二次巻線回路である。
そして実際には、一次巻線32と二次巻線34とは、共通の鉄芯に巻かれており、スイッチ35がonとされたときは、両者のリアクタンスが打ち消し合い、モータ30の電源回路は、一次巻線の32のリアクタンスが消失し、あたかも電源が直接モータ30に接続された回路と等価な回路となる。
【００１１】
この始動器によりモータ30を始動するときは、スイッチ35をoffとした状態で、電源スイッチ31を投入する。
然るときは、モータ30の電源回路には一次巻線32が挿入されているので、そのリアクタンスにより、起動電流が抑制されることになる。
そして起動後、回転数の上昇と共に起動電流が減少するので、適宜の時期にスイッチ35を投入し、電源回路中のリアクタンスを相殺させ、実質的に消失させる。
然るときは、モータ30の電源回路は、実質的に一次巻線32が存在しない回路と等価になり、モータ30は、定格の電源電圧で駆動されることになる。
【００１２】
図4において、40はインダクションモータ、41は電源スイッチ、42はモータ40の電源端子に接続される一次巻線、43はスイッチ、44は、二次巻線45とその短絡スイッチ46とからなる二次巻線回路である。
この一次巻線42は、インダクションモータ40の電源端子に接続される中間タップ42aを備えており、単巻トランスとして機能する。
【００１３】
従って、この回路で、スイッチ46がoff、スイッチ43がonの状態で、電源スイッチ41が投入されると、モータ40に供給される電源電圧は、単巻きトランスによる電圧降下のため、定格電圧より低い電圧となり、起動電流は、その単巻きトランスによる電圧効果と、一次巻線42の電源端子から中間タップ42aまでのリアクタンスにより、大幅に抑制されることになる。
【００１４】
この回路でも実際には、一次巻線42と二次巻線45とは、共通の鉄芯に巻かれており、スイッチ46がonとされ、接地スイッチ43がoffとされた状態で、両者のリアクタンスが打ち消し合い、モータ40の電源回路は、一次巻線の42のリアクタンスが実質的に消失し、あたかも電源が直接モータ40に接続された回路と等価な回路となるよう構成されている。
【００１５】
モータ40を起動するときは、スイッチ43をon、スイッチ46をoffとした状態で電源スイッチ41を投入する。
始動電流の抑制は、前述の図3に示した装置と同様に行われる。
そして、モータ40の回転数が上昇し、始動電流が一定の限界値まで低下したときは、スイッチ43を切り、スイッチ46をonとする。
然るときは、二次巻線45のリアクタンスにより、一次巻線42のリアクタンスが消去されるので、モータ40の電源端子を、電源に直接接続したのと同様な状態になり、モータ40には直接常用の定格作動電圧が供給されることとなる。
【００１６】
このときのモータ40の電源回路の状態は、図2において、スイッチ23をoff、スイッチ21及び24をonとしたときのモータ20の電源回路と等価なものとなるが、図4に示した始動器では、この切換に際して現にモータ40の駆動電流が流れている回路内では、スイッチのon、offが行われることがなく、そのため、この切換がスムーズに行われるようになる。
又、始動時にトルクが大幅に変動する場合や、大きな始動トルクが要求される場合にも的確に対応でき、滑らかな始動が可能なため、停止、始動の頻度を高めることが可能となるが、これらの始動器においても、二次巻線回路内で直接スイッチの開閉が行われるので、使用できるモータの容量が限られていた。
【００１７】
又、上記の起動器は、二次巻線回路が一回路だけであるため、始動時の電圧切換が一段階のみであった。二次巻線回路を二回路設け、これを順次切り換えて始動時の電圧を二段に切り換える可変リアクトル回路付始動器も提案され、実用に供されている。
始動時の電圧切り換えを四段、又はそれ以上の多段に切り換えることができれば、大容量のモータも円滑に起動できるようになり、極めて好都合であるが、そのような起動器は未だ提案されていない。
上記のような二次巻線回路を三回路以上設けることは，事実上不可能である。
従来公知の起動器で、一次巻線に中間タップを設け、これを切り換えてリアクタンスを変化させることは、モータに流れている大電流を直接スイッチングすることになるので、モータ等を傷めるという問題があり、実用に供し得ない。
又、二次巻線は、巻数を多くすれば流れる電流が少なくなるから、タップ切り換えは可能になるが、このように構成しても、一次巻線のリアクトルを調整することはできないし、タップを切り換えて二次巻線の巻数を少なくすると流れる電流が大きくなるので、スイッチの切換が不可能となる。
【特許文献１】特公昭39-27795
【特許文献２】特公昭46-25045
【発明の開示】
【発明が解決しようとする課題】
【００１８】
本発明により解決すべき課題は、三段又はそれ以上の多段に始動電圧を切り換え、供給電圧を順次昇圧することができ、又、その切り換えに当って、大電流を直接スイッチでon、offすることがないので、大容量のモータも円滑に起動し得る新規な可変リアクトル起動器を提供することである。
【課題を解決するための手段】
【００１９】
本発明の叙上の課題は、モータ(50)の電源端子に接続される一次巻線(52)と、一次巻線(52)の電源側に直列に接続される電源スイッチ(51)と、
一次巻線(52)と共通の鉄芯に巻かれた二次巻線(54)と、
上記共通の鉄芯に巻かれ、その一方の端部(55a)が二次巻線(54)の一方の端部(54a)に接続される中間タップ付き三次巻線(55)と、二次巻線(54)の他の一方の端部(54b)と、三次巻線(55)のタップとの間に設けられるタップ選択装置(56)とから成る可変リアクトル回路(53)と、
から成る可変リアクトル回路付始動器。
により解決される。
タップ選択装置(56)としては、それぞれ三次巻線(55)のタップ(55-1〜55-4)に対応して設けられる電磁接触器(58-1〜58-4)と、これらの電磁接触器(58-1〜58-4)を予め定められたプログラムに従って制御する制御回路(57)とから構成されてものが推奨されるが、小容量のモータ用の始動器では、ロータリースイッチを用いることもある。
【００２０】
本発明の叙上の課題は、更に、モータ(60)の電源端子に接続される中間タップ(62a)を備え、単巻トランスとして機能する一次巻線(62)と、
一次巻線(62)の電源側及び接地側にそれぞれ直列に接続される電源スイッチ(61)及び接地スイッチ(63)と、
一次巻線(62)と共通の鉄芯に巻かれた二次巻線(65)と、
上記共通の鉄芯に巻かれ、その一方の端部(66a)が二次巻線(65)の一方の端部(65a)に接続される中間タップ付き三次巻線(66)と、二次巻線(65)の他の一方の端部(65b)と、三次巻線(66)のタップとの間に設けられるタップ選択装置(67)とから成る可変リアクトル回路(64)と、
から成る可変リアクトル回路付始動器により解決される。
タップ選択装置(67)としては、それぞれ三次巻線(55)のタップ(66-1〜66-4)に対応して設けられる電磁接触器(69-1〜69-4)と、これらの電磁接触器(69-1〜69-4)を予め定められたプログラムに従って制御する制御回路(68)とから構成されてものが推奨されるが、小容量のモータ用の始動器では、ロータリースイッチを用いることもある。
【発明の効果】
【００２１】
本発明によるときは、始動後、多数設けられた三次巻線の中間タップを順次切り換えて、三段又はそれ以上に多段的に始動電圧及び電流を増大させ得るので、従来のものより、遥かにスムーズに大容量モータを起動し得るようになる。
従来公知の始動器では、二段以上の多段切り換えは不可能であった。
又、始動時の起動電流を従来の始動器より低く、最低限に抑えることができるので、動力配線費が軽減でき、又、モータ及びそのモータで駆動される機器の始動が円滑となるため、それらの損傷が防止される上、起動時の負荷が様々に且つ大幅に変動する場合にもそれらの始動負荷の変動に合わせて始動電流を合理的に制御できるようになり、従来始動時に円滑な制御が困難であった機器も安全に始動でき、又、多くの機器を需要に応じて頻繁に起動、停止させることができるようになるので電力を節約でき、更に、フリッカなどの外部障害もなくなるなど、本発明を実施すれば多大の利益が得られる。
【発明を実施するための最良の形態】
【００２２】
以下、図面により本発明の一実施例について詳細に説明する。
図1は、既に説明した公知のリアクトル始動器の構成の一例を示す回路図、
図2は、既に説明した公知のコンドルファ始動器の構成の一例を示す回路図、
図3は、既に説明した上記とは別異の公知の改良型リアクトル始動器の構成の一例を示す回路図、
図4は、既に説明した上記とは別異の公知の改良型コンドルファ始動器の構成の一例を示す回路図、
図5は、本発明に係る可変リアクトル回路付始動器の一実施例を示す回路図、
図6は、本発明に係る上記とは別異の可変リアクトル回路付始動器の一実施例を示す回路図、
図7は、上記図1乃至図4に示した公知の始動器の始動電流特性を示すグラフ、
図8は、上記図1乃至図4に示した公知の始動器の始動トルク特性を示すグラフ、
図9は、上記図6に示した本発明に係る可変リアクトル回路付始動器の始動電流特性を示すグラフ、
図10は、上記図6に示した本発明に係る可変リアクトル回路付始動器の始動トルク特性を示すグラフである。
【実施例１】
【００２３】
図1乃至4に示した公知例については既に説明したので、以下には図5及び図6に示した本発明に係る可変リアクトル回路付始動器についてのみ説明する。
図5において、50はインダクションモータ、51は電源スイッチ、52は一次巻線、53は、一次巻線52と共通の鉄芯に巻かれた二次巻線54と、上記二次巻線54と相互誘導する中間タップ付の三次巻線55と、タップ選択装置56とからなる可変リアクトル回路である。
この装置でも、一次巻線52と、二次巻線54とは、共通の鉄芯に巻かれているが、三次巻線はこれらとは別異の鉄芯に巻かれるものである。
【００２４】
又、タップ選択回路56は、三次巻線55のタップ55-1、55-2、55-3及び55-4にそれぞれ対応して設けられる電磁接触器58-1、58-2、58-3及び58-4と、それらをシーケンス制御し、始動時に流れる始動電流に応じて、最適のタップを選択し、接続する制御装置57とから構成される。
二次巻線54の一方の端部54aは、三次巻線55の一方の端部55aに連結され、他の一方の端部54bはタップ選択装置56の電磁接触器58-1、58-2、58-3及び58-4の一方の端子に接続されている。
又、二次巻線54のリアクタンスは、タップ選択装置56が三次巻線55を短絡しているとき、即ち、電磁接触器58-4がonとなり、タップ55-4が選択されているときに、一次巻線52のリアクタンスを丁度相殺、消去するように選択する。
【００２５】
更に、タップ選択装置56が、タップ56-1を選択しているとき、可変リアクトル回路53のリアクタンスの大きさが、一次巻線52のリアクタンスより遥かに小さい値となるように構成し、順次、タップ56-2、56-3、56-4に切り換えられたとき、可変リアクトル回路53のリアクタンスによる一次巻線52のリアクタンスの相殺、消滅量が順次増大するように構成する。
【００２６】
この可変リアクトル回路付始動器を用いてモータ50を始動する際は、タップ選択装置56で、全ての電磁接触器をoffとした状態で、電源スイッチ51を投入する。
このときモータ50に与えられる電源電圧は、一次巻線52のリアクタンスにより減圧され、そのため起動電流が抑制されることになる。このときの起動電圧は、定格値の50％程度となるようにしておくことが望ましい。
【００２７】
起動後の始動トルク及び始動電流の変化は、図9及び図10に示されるようになる。始動時には点aにおいて運転時の50％の電圧が与えられたものとする。
始動後に回転数の上昇に伴い、始動トルクが増加し、始動電流が低下するので、点bにおいてタップ選択装置56の電磁接触器58-1をonとする。
然るときは、二次巻線54の電流は三次巻線55のリアクタンスに見合った電流が流れるので、一次巻線52のリアクタンスの一部が相殺され、見かけ上リアクトルが減少するので、モータ50に与えられる電圧は、定格値の60％に増加し、始動トルク及び始動電圧が、一旦は図9及び図10中に示す点cにまで増加するが、更に回転数が上昇するにつれて、それぞれ点dで示すところまで変化する。
【００２８】
ここで、再びタップ選択装置56を切り換え、電磁接触器58-1をoffとし、58-2をonとし、以下、同様に電磁接触器を切り換えて、点dから点eへ、点fから点gへ、点hから点iへと変化させる。
その後は、低格の100％電圧で駆動すると、回転数の上昇に伴い、点jにおいて通常の運転電流で、負荷トルクに等しい運転トルクが得られるようになる。
タップ選択装置56の電磁接触器58-4が選択されると、三次巻線55は、可変リアクタンス回路53から切り離され、二次巻線54のリアクタンスが、丁度、一次巻線52のリアクタンスを相殺、見かけ上消去することになる。
従って、モータ50は、定格100％の運転電圧を提供され定常運転に入る。
【００２９】
図6に示すものは公知のコンドルファ始動器に本発明を適用したものである。
図6において、60はインダクションモータ、61は電源スイッチ、62は単巻トランスとして用いられる一次巻線、62aはその中間タップ、63は接地スイッチ、64は可変リアクトル回路であり、二次巻線65、中間タップ付三次巻線66及びタップ選択装置67から成る。
この装置でも、一次巻線62と、二次巻線65とは、共通の鉄芯に巻かれているが、三次巻線はこれらとは別異の鉄芯に巻かれるものである。
タップ選択装置67は、前述のタップ選択装置56と同様なものであり、三次巻線66のタップ66-1、66-2、66-3及び66-4のそれぞれに対応して設けられる電磁接触器69-1、69-2、69-3及び69-4と、これらの電磁接触器を予め定められたプログラムに従って選択的にonとする制御器68とから成る。
【００３０】
モータ60を起動するときは、接地スイッチ63をon、タップ選択装置67の全ての電磁接触器をoffとした状態で、電源スイッチ61を投入する。
このときの、モータ60の電源回路の状況は、前述の公知のものと同様である。
即ち、一次巻線62は、単巻トランスとして機能し、タップ62aから得られた電圧が、モータ60の端子に供給される。
この場合も、常時運転電圧の50％がモータに供給されるよう構成しておくことが推奨される。
【００３１】
然るときは、図9中に点aで示されているように、始動トルク25％(0.5×0.5)でモータ60が回転を開始する。
このとき、図10中、点aで示されているように、モータ60には平常の運転電流より遥かに高い電流が流れるが、これは100％電圧が掛けられた場合の50％に抑制されたものになる。
時間に経過と共に回転数が上昇し、始動トルクがやや上昇すると共に、始動電流が減少する。
【００３２】
始動電流が一定の値まで減少した点bにおいて、タップ選択装置67の電磁接触器69-1をonとする。
然るときは、前述の段落0027に記載したのと同様にして、可変リアクタンス回路67のリアクタンスに見合った電流が二次巻線65に流れ、一次巻線62リアクタンスの一部を相殺するようになるので、モータ60に掛けられる電圧は点cで示されるように定格の60％に増大する。
更に、モータ60が加速され、始動トルクが上昇し、始動電流が減少するので、点dにおいてタップ選択装置67の電磁接触器を69-2に切り換え、点eで電圧を70％まで増加する。
【００３３】
以下同様に、点f及び点hにおいてタップ選択装置67の電磁接触器を順次69-3、69−4に切り換え、点g，点iで、電圧を定格値の80％及び100％に増大する。
電圧を100％とするときは、接地スイッチ63をoffとし、二次巻線65を短絡した状態で、二次巻線65のリアクタンスにより、一次巻線62のリアクタンスを完全に相殺できるよう構成する。
【００３４】
このように構成すれば、電圧を100％掛けた状態で、負荷トルクと運転トルクが平衡するよう運転電流が流れ、定格回転数でモータ60が回動するようになる。
この始動過程において、始動電圧が、50、60、70、80及び100％と小刻みに制御され、始動トルクは図9中の曲線abcdefghijに沿って変動し、始動電流は、図10中の曲線abcdefghijに沿って変動することになる。
【００３５】
この始動トルクを、図7に示した公知の始動器の70％電圧→100％電圧における始動トルク曲線ABCDEFが示す始動トルクと比較すれば、公知のものに比して高い始動トルクが得られることが判明する。
又、始動電流を、図8に示した公知の始動器の70％電圧→100％電圧における始動電流曲線ABCDEFが示す始動電流と比較すれば、運転電流との比率において、公知のものに比して始動電流が大幅に低く抑えられることが判明する。
【００３６】
尚、本発明の構成は、叙上に実施例の構成に限定されるものでなく、例えば可変リアクトル回路の構成、配置等は自由に設計変更し得るものであり、特にタップ選択装置の制御器は、シーケンス制御器であっても、又、始動電流を検出しつつ制御を行うものであっても良く、又、前述の如くタップ選択装置としてロータリースイッチを用いることもでき、本発明はこれらの変更例のほか、本発明の目的の範囲内で、当業者が上記の説明に基づいて容易に案出し得る全ての変更例を包摂するものである。
【産業上の利用可能性】
【００３７】
叙上の如く、本発明によるときは、従来の始動器に比し、より少ない始動電流により、強力な始動トルクが得られるので、これを実施すれば産業上多大の利益がある。
【図面の簡単な説明】
【００３８】
【図１】公知のリアクトル始動器の構成の一例を示す回路図である。
【図２】公知のコンドルファ始動器の構成の一例を示す回路図である。
【図３】上記とは別異の公知のリアクトル始動器の構成の一例を示す回路図である。
【図４】上記とは別異の公知のコンドルファ始動器の構成の一例を示す回路図である。
【図５】本発明に係る可変リアクトル回路付始動器の一実施例を示す回路図である。
【図６】本発明に係る上記とは別異の可変リアクトル回路付始動器の一実施例を示す回路図である。
【図７】上記図2及び4に示した公知のコンドルファ始動器の始動電流特性を示すグラフである。
【図８】上記図2及び4に示した公知のコンドルファ始動器の始動トルク特性を示すグラフである。
【図９】上記図5及び図6に示した本発明に係る可変リアクトル回路付始動器の始動電流特性を示すグラフである。
【図１０】上記図5及び図6に示した本発明に係る可変リアクトル回路付始動器の始動トルク特性を示すグラフである。
【符号の説明】
【００３９】
10、20、30、40、50、60    インダクションモータ
11、21、31、41、51、61    電源スイッチ
12、22、32、42、52、62    一次巻線
13、24、35、46、          スイッチ
23、43、63                接地スイッチ
33、44、54、65            二次巻線回路
53、64                    可変リアクトル回路
55、66                    三次巻線
56、67 タップ選択装置
57、68                    制御装置
58-1、58-2、58-3、58-4    電磁接触器
69-1、69-2、69-3、69-4    電磁接触器
【図１】
2006271060.tif 000003
【図２】
2006271060.tif 000004
【図３】
2006271060.tif 000005
【図４】
2006271060.tif 000006
【図５】
2006271060.tif 000007
【図６】
2006271060.tif 000008
【図７】
2006271060.tif 000009
【図８】
2006271060.tif 000010
【図９】
2006271060.tif 000011
【図１０】
2006271060.tif 000012